(57)【特許請求の範囲】
【請求項１】
投出指令に基づき紙幣を繰出して出金紙幣一時保留部に一時保留し、所定量の紙幣が一時保留されたのちその紙幣を出金口へ送出する紙幣出金機において、
繰出すべき出金用紙幣を集積状態で収納する出金用紙幣収納部と、
前記出金用紙幣収納部の一端に配設され最前位の紙幣を１枚ずつ繰出す出金用紙幣繰出し手段と、
機体の背面側から引出し可能に設けられ補充用紙幣を集積状態で手詰め可能とされた補充紙幣収納部と、
前記出金用紙幣収納部から繰出された紙幣を前記出金紙幣一時保留部へ搬送する出金紙幣搬送経路とは別体からなり、前記補充紙幣収納部から紙幣を１枚ずつ繰出して搬送する補充紙幣搬送手段と、
前記出金紙幣搬送経路で搬送される紙幣を識別する出金識別部とは別体からなり、前記補充紙幣搬送手段に設けられ、搬送される紙幣の少なくとも枚数のカウントと金種識別を可能とする紙幣検知手段と、
前記補充紙幣搬送手段により搬送される補充紙幣を受入れて一時保留し所定の時期に一時保留紙幣を前記出金用紙幣収納部内に送り込む補充紙幣一時保留部と、を具備することを特徴とする紙幣出金機。
【請求項２】
投出指令に基づき紙幣を繰出して出金紙幣一時保留部に一時保留し、所定量の紙幣が一時保留されたのちその紙幣を出金口へ送出する紙幣出金機において、
繰出すべき出金用紙幣を上下方向に集積状態で収納する出金用紙幣収納部と、
前記出金用紙幣収納部の一端に配設され最前位の紙幣を１枚ずつ繰出す出金用紙幣繰出し手段と、
機体の背面側から引出し可能に設けられ補充用紙幣を集積状態で手詰め可能とされた補充紙幣収納部と、
前記出金用紙幣収納部から繰出された紙幣を前記出金紙幣一時保留部へ搬送する出金紙幣搬送経路とは別体からなり、前記補充紙幣収納部から紙幣を１枚ずつ繰出して搬送する補充紙幣搬送手段と、
前記出金紙幣搬送経路で搬送される紙幣を識別する出金識別部とは別体からなり、前記補充紙幣搬送手段に設けられ、搬送される紙幣の少なくとも枚数のカウントと金種識別を可能とする紙幣検知手段と、
前記補充紙幣搬送手段により搬送される補充紙幣を受入れて一時保留し所定の時期に一時保留紙幣を前記出金用紙幣収納部内に送り込む補充紙幣一時保留部と、
前記出金用紙幣収納部に収納される紙幣の枚数または金額に基づく収納量を記憶する紙幣収納量記憶部と、
前記補充紙幣一時保留部に一時保留される紙幣の枚数または金額に基づく一時保留量を記憶する補充紙幣一時保留量記憶部と、を具備し、
前記補充紙幣一時保留量記憶部の記憶量を前記紙幣収納量記憶部の記憶量に加算して記憶させることを特徴とする紙幣出金機。
【請求項３】
投出指令に基づき紙幣を繰出して出金紙幣一時保留部に一時保留し、所定量の紙幣が一時保留されたのちその紙幣を出金口へ送出する紙幣出金機において、
前面側に出金口が形成されるとともに背面側に紙幣補充用および紙幣回収用の背面操作部が形成された機体と、
一時保留される出金紙幣を前記一時保留部から一括して機体の前後方向に搬送し前方への搬送時には前記出金口へ、後方への搬送時には前記背面操作部側へ送る一括搬送経路と、
前記一括搬送経路の搬送面の上方または下方に設けられ出金紙幣を集積状態で一時保留する出金紙幣一時保留部と、
前記出金紙幣一時保留部の下方に配置され紙幣を集積状態で収納する出金用紙幣収納部と、
前記出金用紙幣収納部の一端に設けられ最前位の紙幣を１枚ずつ繰出す出金用紙幣繰出し手段と、
前記出金用紙幣収納部から繰出された紙幣を受入れて上昇させ途中に出金識別部を有して正規紙幣と識別された紙幣を前記出金紙幣一時保留部へ搬送する出金紙幣搬送経路と、
前記機体の背面操作部から補充用紙幣を集積状態で手詰め可能とされた補充紙幣収納部と、
前記出金紙幣搬送経路とは別体からなり、前記補充紙幣収納部から紙幣を１枚ずつ繰出して搬送する補充紙幣搬送手段と、
前記出金識別部とは別体からなり、前記補充紙幣搬送手段に設けられ、搬送される紙幣の少なくとも枚数のカウントと金種識別を可能とする紙幣検知手段と、
前記補充紙幣搬送手段の下流位置で前記出金紙幣一時保留部の下方位置に配設され補充紙幣搬送手段から送り込まれる補充用紙幣を一時保留し所定の時期に前記紙幣を出金用紙幣収納部へ送り込む補充紙幣一時保留部と、
前記出金用紙幣収納部に収納される紙幣の枚数または金額に基づく収納量を記憶する紙幣収納量記憶部と、
前記補充紙幣一時保留部に一時保留される紙幣の枚数または金額に基づく一時保留量を記憶する補充紙幣一時保留量記憶部と、を具備し、
前記補充紙幣一時保留量記憶部の記憶量を前記紙幣収納量記憶部の記憶量に加算して記憶させることを特徴とする紙幣出金機。
【請求項４】
投出指令に基づき紙幣を繰出して出金紙幣一時保留部に一時保留し、所定量の紙幣が一時保留されたのちその紙幣を出金口へ送出する紙幣出金機において、
前面側に出金口が形成されるとともに背面側に紙幣補充用および紙幣回収用の背面操作部が形成された機体と、
一時保留される出金紙幣を前記一時保留部から一括して紙幣の長手方向が機体の前後方向に略一致するよう機体の前後方向に搬送し前方への搬送時には前記出金口へ、後方への搬送時には前記背面操作部側へ送る一括搬送経路と、
前記一括搬送経路の搬送面の上方または下方に設けられ出金紙幣を集積状態で一時保留する出金紙幣一時保留部と、
前記出金紙幣一時保留部の下方に配置され紙幣の短手方向が機体の幅方向と略一致するよう紙幣を集積状態で収納する出金用紙幣収納部と、
前記出金用紙幣収納部の下部に設けられ最下位の紙幣を１枚ずつ機体の幅方向と略一致する短手方向に繰出して搬送する出金用紙幣繰出し手段と、
前記出金用紙幣収納部から短手方向に繰出された紙幣を受入れて機体の幅方向一側にそって上昇させ途中に出金識別部を有して正規紙幣と識別された紙幣を前記出金紙幣一時保留部へ搬送する出金紙幣搬送経路と、
前記機体の背面操作部から補充用紙幣をその長手方向が機体の前後方向に略一致するよう集積状態に手詰め可能とされた補充紙幣収納部と、
前記出金紙幣搬送経路とは別体からなり、前記補充紙幣収納部から紙幣をその長手方向に１枚ずつ繰出して搬送する補充紙幣搬送手段と、
前記出金識別部とは別体からなり、前記補充紙幣搬送手段に設けられ、搬送される紙幣の少なくとも枚数のカウントと金種識別を可能とする紙幣検知手段と、
前記補充紙幣搬送手段の下流位置で前記出金紙幣一時保留部の下方位置に配設され補充紙幣搬送手段から送り込まれる補充用紙幣を一時保留し所定の時期に前記紙幣を出金用紙幣収納部へ送り込む補充紙幣一時保留部と、
前記出金用紙幣収納部に収納される紙幣の枚数または金額に基づく収納量を記憶する紙幣収納量記憶部と、
前記補充紙幣一時保留部に一時保留される紙幣の枚数または金額に基づく一時保留量を記憶する補充紙幣一時保留量記憶部と、を具備し、
前記補充紙幣一時保留量記憶部の記憶量を前記紙幣収納量記憶部の記憶量に加算して記憶させることを特徴とする紙幣出金機。
【請求項５】
前記出金用紙幣収納部および補充紙幣一時保留部を複数組、補充紙幣収納部および補充紙幣搬送手段を１組として設け、前記補充紙幣収納部と補充紙幣搬送手段とを一つの枠体に一体的に設けて手動により移動可能に構成し、前記補充紙幣搬送部が前記補充紙幣一時保留部と対向した位置で前記枠体の移動を拘束するロック機構と、前記ロック機構を解除するロック解除手段とを有している請求項３または４記載の紙幣出金機。
【請求項６】
前記一括搬送経路の機体背面近傍に回収一時保留部を形成するとともに、前記出金用紙幣収納部の紙幣の回収時には所定枚数ずつ出金紙幣一時保留部へ送入可能とし、前記回収一時保留部の底部は所定枚数の回収紙幣が該回収一時保留部へ送り込まれる都度開放される開閉可能なシャッタで構成され、前記回収一時保留部の下部には所定枚数ずつ送り込まれる回収紙幣を集積するとともに前記背面操作部から回収紙幣の取出しを可能とされた回収紙幣収納部を有している請求項３〜５のいずれか１項記載の紙幣出金機。
【請求項７】
前記出金紙幣一時保留部の下部位置でかつ補充紙幣一時保留部の上部位置に出金リジェクト紙幣回収部が設けられ、前記出金紙幣搬送経路の途中部に前記出金リジェクト紙幣回収部への分岐部が形成されており、前記出金リジェクト紙幣回収部は前記背面操作部側へ移動可能とされて機体の背部から出金リジェクト紙幣の取出しが可能とされている請求項６記載の紙幣出金機。
【発明の詳細な説明】
【０００１】
【発明の属する技術分野】
本発明は、紙幣出金機に係り、なかでも公営競技場に設置して使用するに適する紙幣出金機に関する。
【０００２】
【従来の技術】
公営競技場、例えば公営競馬場、公営競輪場、公営競艇場にあっては、レース券を購入し、そのレース券が当った場合には配当金の払い戻しが行われるが、この種の公営競技場においても紙幣出金機が設置されて利用されている。
【０００３】
上記のような場所に設置される紙幣出金機として要望される点としては、顧客が機械から直接紙幣を取出せるよう機体前面に出金口があること、顧客が機体前面側の出金口から紙幣の取出し操作を行うので、係員は機体背面側から出金紙幣の補充、回収紙幣の回収の各操作が行えること、などである。
【０００４】
このような要望に応える紙幣出金機として本件出願人は特願平７−２９７０９４号（特開平９−１４２６７５号）に示される紙幣出金機を開発した。この出金機は、機体内に設置される出金用紙幣収納部の上部にそれぞれ対応して補充紙幣収納部を設け、この補充紙幣収納部内に機体の背部側から直接紙幣を補充し、その下部のシャッタを適時に開放することにより補充紙幣収納部内に補充した紙幣が出金用紙幣収納部内に送り込まれて出金用紙幣として下部から順次繰出されるようになされたものである。
【０００５】
【発明が解決しようとする課題】
上記の紙幣出金機としたことにより前記要望点は一応満足することはできるが、補充紙幣の装填は人手により補充紙幣収納部に行なうことになるため、補充金額または補充枚数については補充紙幣収納部への装填前に補充紙幣を事前に別途手で勘定計数したのちそのデータを手入力で行わなければならず、その際に数え違いや入力ミスが発生しやすく、機械内の在高が実際の紙幣収納値と異なり、誤りのない在高管理ができなくなってしまうという問題があった。
【０００６】
本願の特に第１の発明は、補充紙幣を補充紙幣収納部へ収納する前段階で補充紙幣を計数するようにし、補充量（金額または枚数）の入力ミスを防ぎ、機械内の在高を正確に管理することを可能とする紙幣出金機を提供することを課題としてなされたものである。
なお、本願の特に第１の発明によれば、補充のための一時動作は出金のための動作とは無関係に行え、また一時保留紙幣の収納動作も迅速にできるので、機械を無休止で稼動させることができやすく、利用者に不便を与えることを少なくすることができる。
【０００７】
【課題を解決するための手段】
上記課題を解決する手段として本願請求項１に記載の発明は、投出指令に基づき紙幣を繰出して出金紙幣一時保留部に一時保留し、所定量の紙幣が一時保留されたのちその紙幣を出金口へ送出する紙幣出金機において、繰出すべき出金用紙幣を集積状態で収納する出金用紙幣収納部と、前記出金用紙幣収納部の一端に配設され最前位の紙幣を１枚ずつ繰出す出金用紙幣繰出し手段と、機体の背面側から引出し可能に設けられ補充用紙幣を集積状態で手詰め可能とされた補充紙幣収納部と、前記出金用紙幣収納部から繰出された紙幣を前記出金紙幣一時保留部へ搬送する出金紙幣搬送経路とは別体からなり、前記補充紙幣収納部から紙幣を１枚ずつ繰出して搬送する補充紙幣搬送手段と、前記出金紙幣搬送経路で搬送される紙幣を識別する出金識別部とは別体からなり、前記補充紙幣搬送手段に設けられ、搬送される紙幣の少なくとも枚数のカウントと金種識別を可能とする紙幣検知手段と、前記補充紙幣搬送手段により搬送される補充紙幣を受入れて一時保留し所定の時期に一時保留紙幣を前記出金用紙幣収納部内に送り込む補充紙幣一時保留部と、を具備することを特徴としたことにある。
【０００８】
上記出金用紙幣収納部は、紙幣を上下方向に集積する形態、または立位姿勢で前後方向に集積する形態を含む。
【０００９】
また請求項２記載の発明は、投出指令に基づき紙幣を繰出して出金紙幣一時保留部に一時保留し、所定量の紙幣が一時保留されたのちその紙幣を出金口へ送出する紙幣出金機において、繰出すべき出金用紙幣を上下方向に集積状態で収納する出金用紙幣収納部と、前記出金用紙幣収納部の一端に配設され最前位の紙幣を１枚ずつ繰出す出金用紙幣繰出し手段と、機体の背面側から引出し可能に設けられ補充用紙幣を集積状態で手詰め可能とされた補充紙幣収納部と、前記出金用紙幣収納部から繰出された紙幣を前記出金紙幣一時保留部へ搬送する出金紙幣搬送経路とは別体からなり、前記補充紙幣収納部から紙幣を１枚ずつ繰出して搬送する補充紙幣搬送手段と、前記出金紙幣搬送経路で搬送される紙幣を識別する出金識別部とは別体からなり、前記補充紙幣搬送手段に設けられ、搬送される紙幣の少なくとも枚数のカウントと金種識別を可能とする紙幣検知手段と、前記補充紙幣搬送手段により搬送される補充紙幣を受入れて一時保留し所定の時期に一時保留紙幣を前記出金用紙幣収納部内に送り込む補充紙幣一時保留部と、前記出金用紙幣収納部に収納される紙幣の枚数または金額に基づく収納量を記憶する紙幣収納量記憶部と、前記補充紙幣一時保留部に一時保留される紙幣の枚数または金額に基づく一時保留量を記憶する補充紙幣一時保留量記憶部と、を具備し、前記補充紙幣一時保留量記憶部の記憶量を前記紙幣収納量記憶部の記憶量に加算して記憶させるものである。
【００１０】
前記請求項１記載の発明をより具体的としたものが請求項３記載の発明で、投出指令に基づき紙幣を繰出して出金紙幣一時保留部に一時保留し、所定量の紙幣が一時保留されたのちその紙幣を出金口へ送出する紙幣出金機において、前面側に出金口が形成されるとともに背面側に紙幣補充用および紙幣回収用の背面操作部が形成された機体と、一時保留される出金紙幣を前記一時保留部から一括して機体の前後方向に搬送し前方への搬送時には前記出金口へ、後方への搬送時には前記背面操作部側へ送る一括搬送経路と、前記一括搬送経路の搬送面の上方または下方に設けられ出金紙幣を集積状態で一時保留する出金紙幣一時保留部と、前記出金紙幣一時保留部の下方に配置され紙幣を集積状態で収納する出金用紙幣収納部と、前記出金用紙幣収納部の一端に設けられ最前位の紙幣を１枚ずつ繰出す出金用紙幣繰出し手段と、前記出金用紙幣収納部から繰出された紙幣を受入れて上昇させ途中に出金識別部を有して正規紙幣と識別された紙幣を前記出金紙幣一時保留部へ搬送する出金紙幣搬送経路と、前記機体の背面操作部から補充用紙幣を集積状態で手詰め可能とされた補充紙幣収納部と、前記出金紙幣搬送経路とは別体からなり、前記補充紙幣収納部から紙幣を１枚ずつ繰出して搬送する補充紙幣搬送手段と、前記出金識別部とは別体からなり、前記補充紙幣搬送手段に設けられ、搬送される紙幣の少なくとも枚数のカウントと金種識別を可能とする紙幣検知手段と、前記補充紙幣搬送手段の下流位置で前記出金紙幣一時保留部の下方位置に配設され補充紙幣搬送手段から送り込まれる補充用紙幣を一時保留し所定の時期に前記紙幣を出金用紙幣収納部へ送り込む補充紙幣一時保留部と、前記出金用紙幣収納部に収納される紙幣の枚数または金額に基づく収納量を記憶する紙幣収納量記憶部と、前記補充紙幣一時保留部に一時保留される紙幣の枚数または金額に基づく一時保留量を記憶する補充紙幣一時保留量記憶部と、を具備し、前記補充紙幣一時保留量記憶部の記憶量を前記紙幣収納量記憶部の記憶量に加算して記憶させる構成からなっている。
【００１１】
また上記請求項２記載の発明の際の要望に加え、機体の幅を小さくすることが望まれ、特に紙幣の長手方向が機体の前後方向になるように送り出すことが要望されている。
【００１２】
請求項４記載の発明はこれらの要望に応えるもので、投出指令に基づき紙幣を繰出して出金紙幣一時保留部に一時保留し、所定量の紙幣が一時保留されたのちその紙幣を出金口へ送出する紙幣出金機において、前面側に出金口が形成されるとともに背面側に紙幣補充用および紙幣回収用の背面操作部が形成された機体と、一時保留される出金紙幣を前記一時保留部から一括して紙幣の長手方向が機体の前後方向に略一致するよう機体の前後方向に搬送し前方への搬送時には前記出金口へ、後方への搬送時には前記背面操作部側へ送る一括搬送経路と、前記一括搬送経路の搬送面の上方または下方に設けられ出金紙幣を集積状態で一時保留する出金紙幣一時保留部と、前記出金紙幣一時保留部の下方に配置され紙幣の短手方向が機体の幅方向と略一致するよう紙幣を集積状態で収納する出金用紙幣収納部と、前記出金用紙幣収納部の下部に設けられ最下位の紙幣を１枚ずつ機体の幅方向と略一致する短手方向に繰出して搬送する出金用紙幣繰出し手段と、前記出金用紙幣収納部から短手方向に繰出された紙幣を受入れて機体の幅方向一側にそって上昇させ途中に出金識別部を有して正規紙幣と識別された紙幣を前記出金紙幣一時保留部へ搬送する出金紙幣搬送経路と、前記機体の背面操作部から補充用紙幣をその長手方向が機体の前後方向に略一致するよう集積状態に手詰め可能とされた補充紙幣収納部と、前記出金紙幣搬送経路とは別体からなり、前記補充紙幣収納部から紙幣をその長手方向に１枚ずつ繰出して搬送する補充紙幣搬送手段と、前記出金識別部とは別体からなり、前記補充紙幣搬送手段に設けられ、搬送される紙幣の少なくとも枚数のカウントと金種識別を可能とする紙幣検知手段と、前記補充紙幣搬送手段の下流位置で前記出金紙幣一時保留部の下方位置に配設され補充紙幣搬送手段から送り込まれる補充用紙幣を一時保留し所定の時期に前記紙幣を出金用紙幣収納部へ送り込む補充紙幣一時保留部と、前記出金用紙幣収納部に収納される紙幣の枚数または金額に基づく収納量を記憶する紙幣収納量記憶部と、前記補充紙幣一時保留部に一時保留される紙幣の枚数または金額に基づく一時保留量を記憶する補充紙幣一時保留量記憶部と、を具備し、前記補充紙幣一時保留量記憶部の記憶量を前記紙幣収納量記憶部の記憶量に加算して記憶させる構成からなっている。
【００１３】
また、請求項５に記載の発明は、出金用紙幣収納部および補充紙幣一時保留部を複数組、補充紙幣収納部および補充紙幣搬送手段を１組としてコストダウンを図ったものであり、それでいて出金に関与していない出金用紙幣収納部への紙幣の補充を可能とし、補充効率の向上を目指したものである。
【００１４】
請求項６記載の発明は、前記一括搬送経路の機体背面近傍に回収一時保留部を形成するとともに、前記出金用紙幣収納部の紙幣の回収時には所定枚数ずつ出金紙幣一時保留部へ送入可能とし、前記回収一時保留部の底部は所定枚数の回収紙幣が該回収一時保留部へ送り込まれる都度開放される開閉可能なシャッタで構成され、前記回収一時保留部の下部には所定枚数ずつ送り込まれる回収紙幣を集積するとともに前記背面操作部から回収紙幣の取出しを可能とされた回収紙幣収納部を有し、回収紙幣を出金紙幣一時保留部から送り出しの都度取出す必要をなくし、一括して取出せるようにしたことにある。これにより回収紙幣の取出し時の能率の向上を図っている。
【００１５】
請求項７に記載の発明は、出金口において取忘れられた紙幣を前記一括搬送経路を通じて回収一時保留部へ一時保留可能とし、前記背面操作部から出金取忘れ紙幣を取出し可能とし、スペースの共用化を図ったものである。
【００１６】
請求項８に記載の発明は、前記出金紙幣一時保留部の下部位置でかつ補充紙幣一時保留部の上部位置に出金リジェクト紙幣回収部が設けられ、前記出金紙幣搬送経路の途中部に前記出金リジェクト紙幣回収部への分岐部が形成されており、前記出金リジェクト紙幣回収部は前記背面操作部側へ移動可能とされて機体の背部から出金リジェクト紙幣の取出しが可能とされ、機体背面からの操作性の向上を図ったものである。
【００１７】
請求項９に記載の発明は、前記出金用紙幣収納部に収納される枚数または金額に基づく収納量を記憶する紙幣収納量記憶部と、前記補充紙幣一時保留部に一時保留される枚数または金額に基づく一時保留量を記憶する補充紙幣一時保留量記憶部と、前記補充紙幣一時保留部の一時保留紙幣の収納動作に関連して前記補充紙幣一時保留量記憶部の記憶量を前記紙幣収納量記憶部の記憶量に加算して記憶させるようになされ、誤勘定や入力ミスを防ぎ、機械内の在高値が実際の紙幣収納値と一致して在高管理が確保できるようにしたものである。
【００１８】
【発明の実施の形態】
以下、本発明を図面に示す実施の形態を参照して説明する。
【００１９】
図１は本発明による紙幣出金機の概要の縦断面図を、図２は図１のＡ−Ａ断面を示しており、特に顧客が機械の前面（図１において左側）から紙幣を受取り、機械の背面側（図１において右側）には係員が必要時にやってきて紙幣の回収、補充を行う紙幣出金機とした場合を示している。
【００２０】
上記紙幣出金機の外郭を構成する機体１は奥行のある縦長形状を有し、その前面１ａ側の上方位置には紙幣の出金口２が開口され、これと対応する背面１ｂ側の上方位置には回収口３が開口されており、扉４により開閉可能とされている。機体１の内部上方部には出金すべき紙幣を一括して出金口２へ搬送し、その紙幣を出金口２に一部突出した状態で停止して保持する一括搬送経路５を構成する搬送装置が設けられている。この搬送装置は上側の無端ベルト６と下側の無端ベルト６ａ、ローラ６ｂ、後述するローラ２９，２９…で構成され、紙幣を回収口３へ搬送する機能も持ち、その回収口３からその紙幣を回収することができる。
【００２１】
上記一括搬送経路５の前半部直下位置には出金紙幣一時保留部７が、同後半部直下位置には回収一時保留部８が設けられ、この一時保留部８の底部を構成するシャッタ９がソレノイドＳＤの励磁により下方へ向けて開放し消磁により上方に閉じるように設けられている。
【００２２】
上記出金紙幣一時保留部７の直下には出金リジェクト紙幣回収部１０が、また前記シャッタ９の直下には箱状の回収紙幣収納部１１が共に連結部１２により結合されて機体１の背面１ｂ側に引出し可能に設けられ、上記出金リジェクト紙幣回収部１０の直下には２金種用（千円紙幣用と万円紙幣用）の出金用紙幣収納部１３1 ，１３2 が並列配置され、機体１の奥側内に前記２つの出金用紙幣収納部１３1 ，１３2 に正対する位置に切換移動可能に補充紙幣ユニット部１４が設けられている。
【００２３】
次に上記各部の具体的構成例につき説明する。
【００２４】
前記出金用紙幣収納部１３1 ，１３2 は同じ構成を有するので一方１３1 のみにつき説明すると、紙幣の長手方向が機体１の前後方向となるように重積状に収納されるもので、その上部には補充紙幣一時保留部１５が設けられ、この一時保留部１５の底部は左右のシャッタ板１６，１６で構成され、このシャッタ板１６，１６は図２に鎖線で示すように昇降移動可能とされるとともに適時に下方に垂下する方向に回動してシャッタ板１６，１６上の一時保留紙幣を下方へ放出するようになっている。
【００２５】
前記補充紙幣一時保留部１５には、その入口側に紙幣の長手方向両側を上方へ屈曲させて紙幣に腰を付け、直進性を与えるための左右の腰付けガイド１７，１７と、送入される紙幣の浮き上がりを押える押えレバー１８，１８と、紙幣の有無を感知する感知レバー１９とを有し、押えレバー１８，１８および感知レバー１９は上端が機枠側に枢支して設けられている。特に感知レバー１９が紙幣を感知する都度、千円用または万円用の一時保留板（シャッタ板１６，１６）の上下動モータＭ3-1 またはＭ3-2 を下降動させ、一時保留板上の紙幣上に次の紙幣の送り込みに対し適切な間隙を保持させる。
【００２６】
前記出金用紙幣収納部１３1 の下方の一側には紙幣押え２０が起伏自在に設けられ、起立時には収納部１３1 外に退避し、倒伏時に収納部１３1 内に進入して収納部１３1 内の紙幣の上面を押えるようになっている。シャッタ板１６，１６を紙幣押え２０が起伏状態になっている状態において図１の１点鎖線位置まで下降させ、その位置でシャッタ板１６，１６を開いて一時保留紙幣を収納紙幣上に収納させ、シャッタ板１６，１６を開放状態のまま図１の実線図示位置まで上昇させて閉じ、以後の一時保留に備える。
【００２７】
前記出金用紙幣収納部１３1 の下底部一側には紙幣の繰出口２１が開口され、下底部には紙幣を１枚ずつ繰出すためのキッカローラ２２、フィードローラ２３、このフィードローラ２３に対置されて紙幣を１枚のみ通過させるゲート間隙を作るゲートローラ２４等からなる出金用紙幣繰出し手段２５が設けられ、この繰出し手段２５に続いて搬送経路２６（千円紙幣用個別搬送路２６1 、万円紙幣用個別搬送路２６2 、合流搬送路２６3 ）がローラ、ベルトの組合わせにより構成されており、搬出された紙幣を出金用紙幣収納部１３1 ，１３2 の下底部から個別搬送路２６1 ，２６2 へ送り込み、合流搬送路２６3 から機体１内の側部にそって立ち上がる搬送路を通って上方へ搬送し、その途中に設けられた出金識別部２７により紙幣の識別を行ってさらに上方へ搬送し、正規の紙幣と識別されたものは出金一時保留部７へ、識別不能紙幣や２枚重ね、斜行の紙幣は出金リジェクト紙幣回収部１０へ切換爪２８の切換えにより送り込むようになっている。
【００２８】
前記出金一時保留部７は、昇降動自在に設けられ複数のローラ２９，２９…の上部が上面から若干突出するようにして回転自由に軸支された受板３０を有し、この受板３０のローラ２９，２９…上に紙幣を受入れて集積し、その一時保留紙幣の一括搬送時には受板３０の上昇により一括搬送経路５の搬送装置（無端ベルト６）に集積紙幣の上面を押しつけてこのベルト６とローラ６ｂおよびローラ２９，２９…とで出金口２へ一括して搬送するようになっている。また一時保留紙幣の回収時や出金口２に出金したにも拘らず取出されなかった場合は無端ベルト６の逆転駆動により無端ベルト６、ローラ６ｂ、ローラ２９，２９…、無端ベルト６ａによって回収一時保留部８へ送り込むようになっている。
【００２９】
前記無端ベルト６の出金口２側のプーリー３１は揺動アーム３２の先端に軸支され、投出する紙幣の枚数に応じて上下動することにより対応可能とされている。３３はテンションローラを示す。
【００３０】
前記出金リジェクト紙幣回収部１０および回収紙幣収納部１１は前述のように連結部材１２により一体的に結合されており、扉３を開いた状態で機体１に設けられたガイドレール３４にそって図４に示すように機体１の背面１ｂ側に引出し可能に構成され、回収紙幣収納部１１および出金リジェクト紙幣回収部１０内の回収紙幣を手で取出せるように構成されている。出金リジェクト紙幣回収部１０内の紙幣は、背面から見た左手の開放口（回収部１０の開放口）から取出される。なおＳ4 は回収指令時において１００枚の回収紙幣が回収一時保留部８に送られた場合にそれを検知してソレノイドＳＤを励磁させ、シャッタ９を開放させる回収紙幣検知用のセンサである。
なお回収紙幣収納部１１の背面（図１において右面）は、回収一時保留部８の背面と同様に開口されている。そして前記回収口３は回収一時保留部８の背面から回収紙幣収納部１１の背面（図１の右面）にわたって開口され、その回収口３が扉４で開閉されるのである。それ故、図１のままの状態で回収一時保留部８の紙幣、回収紙幣収納部１１の紙幣を扉４を開けることで取出すことができる。
【００３１】
次に補充紙幣ユニット部１４の構成について説明する。
【００３２】
補充紙幣ユニット部１４は、機体１に前記出金用紙幣収納部１３1 ，１３2 にそれぞれ対向する位置にガイド３５，３５にそって移動可能とされた枠体３６と、この枠体３６に機体１の背面１ｂ側にガイド３７にそって引出し自在に設けられた補充箱３８と、この補充箱３８の底部の一部を構成しモータにより上昇可能に設けられた支持板３９と、前記枠体３６の上部に配置される補充紙幣搬送手段４０とで構成されている。
【００３３】
前記補充箱３８は、前壁３８ａ、後壁３８ｂ、右側壁３８ｃ、左側壁３８ｄ、底部３８ｅ、および支持板３９が上下することができる開口３８ｆを有し、右側壁３８ｃの切穴３８ｇ（底部３８ｅから立ち上がる右側壁３８ｃをいくらか残して切欠された部分）または左側壁３８ｄの開口３８ｆへ紙幣を挟む指を入れて補充紙幣を載置可能とされている。すなわち紙幣を機体１の前後方向を長手方向として集積状態に収納し得るもので、長手方向一側の右側壁３８ｃの中間部が上下方向に一部開口されまた左側壁３８ｄの中間部は全部開口されていてこのいずれかの開口から紙幣を積み込みやすくされている。また補充箱３８の内端にはロック機構を構成するフック状のストッパ４１を有し、このストッパ４１は枠体３６に係合して抜止めされる。
【００３４】
前記補充紙幣搬送手段４０は、枠体３６の上部の前後方向に装架され補充箱３８内の紙幣を１枚ずつ繰出しおよび戻しを行うための正逆駆動自在な無端ベルト４４と、この無端ベルト４４と協働して紙幣を後方へ向けて送り出すため補充箱３８側に軸支されて無端ベルト４４を押圧するゲートローラ４４ａとの間で紙幣を１枚ずつ繰出す繰出しローラ４５，４５と、無端ベルト４４が巻回されるローラ４４ｂ，４４ｂ…と、上記無端ベルト４４の下部面側の搬送ローラ４５ａ，４５ａおよび上部走行面に対設され紙幣の搬送を補助するローラ４６，４６および搬送ベルト４６ａと、前記無端ベルト４４の後端にそって紙幣を無端ベルト４４の上部走行面側に導くための湾曲ガイド４７と、無端ベルト４４の前端位置に回転駆動自在に設けられ紙幣を前記補充紙幣一時保留部１５へ確実に送り込むため紙幣の送入後端を下方へ向けて誘導する羽根車４８と、紙幣が繰出されたか否かを検知するセンサＳ1 と、紙幣の金種を識別するセンサＳ2 と、紙幣が補充紙幣一時保留部１５へ送り込まれたことを検知するセンサＳ3 と、補充箱３８の装着を検知するスイッチＳＷ1-1 と、補充箱ロック解除スイッチＳＷ1-2 と、枠体装着スイッチＳＷ2-1 と、枠体ロック解除スイッチＳＷ2-2 と、枠体左右位置検知スイッチＳＷ3-1 ，ＳＷ3-2 と、補充紙幣用支持板上下位置検知センサＰo-1 とを有している。なお図７の識別部はセンサＳ1 ，Ｓ2 ，Ｓ3 で構成され、金種が識別された紙幣が一時保留部１５へ送られたときに識別信号を出力する。Ｐo-2 は補充紙幣有無センサで、補充箱３８内に紙幣がない場合検知レバー１８により作動されず、紙幣無しを検知するものである。また前記ストッパ４１は一時保留部１５，１５から後方（補充箱３８側）へ飛び出そうとする紙幣の規制の役目を持っている。
【００３５】
前記補充箱３８には図５に平面図を示すように紙幣を繰出す際に紙幣を上昇させる支持板３９がパルスモータＭ1 により昇降自在に設けられている。この支持板３９は紙幣が載置される底部３８ｅに対し紙幣の中央部を支持するよう上記底部３８ｅに形成された切欠３８ｆに嵌入し得る形状を有している。
【００３６】
なお前記出金用紙幣収納部１３1 ，１３2 の各一時保留部１５，１５には、その支持板３９，３９の位置を検知する千円紙幣用の収納部１３1 の支持板位置検知センサＰ1 ，万円紙幣用の収納部１３2 の支持板位置検知センサＰ2 が設けられている。
【００３７】
図６は背面操作部４２の一部を示し、前述の操作レバー４３と、枠体３６を移動させるためロック機構のソレノイドを作動させるスイッチボタンＳＷ1 ，枠体３６を引出すためロック機構のソレノイドを作動させるスイッチボタンＳＷ2 、異金種紙幣、識別不能紙幣等の検知時に操作者にそれを知らせるランブＬ1 ，Ｌ2 が設けられている。
【００３８】
前記背面操作部４２は、それ以外に補充箱３８の背部側への引出し操作、回収口３の操作、回収紙幣収納部８および出金リジェクト紙幣回収部１０の背部から操作が可能であることはいうまでもない。
【００３９】
図７〜図９は制御ブロック図を示し、その内容は作用と併せて説明する。
【００４０】
通常の出金時には、出金指令に基づいて出金に要する出金用紙幣収納部１３1 ，１３2 の下部の繰出口２１から繰出し手段２５の作動により紙幣が１枚ずつ繰出され、個別搬送路２６1 または２６2 、合流搬送路２６3 、出金識別部２７を通って出金一時保留部７へ送り込まれる。
【００４１】
繰出された紙幣が出金識別部２７において異金種、２枚重ね、斜行等と判断された場合はその信号により切換爪２８が切換り、出金リジェクト紙幣回収部１０へ送入される。
【００４２】
出金一時保留部７においては、紙幣受入れ時には受板３０は下降位置（図１の鎖線図示位置）におかれており、この受板３０上に順次堆積される。なお出金用紙幣収納部１３1 ，１３2 の双方から紙幣を投出する場合は優先順位をもっていずれかの収納部１３1 ，１３2 から先に投出される。
【００４３】
所定の金額の紙幣が一時保留され、投出承認のボタンが押されるとモータが駆動して受板３０が上昇し、受板３０上の紙幣の上面が無端ベルト６の下面に押しつけられ、この無端ベルト６の正転駆動により該ベルト６とローラ２９，２９…およびローラ６ｂとで挟まれた一時保留紙幣は出金口２へ一括して搬送され、紙幣の一部が出金口２から突出した状態として停止保持される。
【００４４】
また紙幣が出金口２へ投出されても所定時間取出されないときは、受板３０を上昇位置に位置させたまま無端ベルト６を逆回転させ、無端ベルト６とローラ２９，２９…およびベルト６ａによりその紙幣を回収一時保留部８へ逆送して一時保留する。係員は扉４を開け、回収一時保留部８の回収口３から出金取忘れ紙幣を取出す。
【００４５】
次に出金用紙幣収納部１３1 ，１３2 内の収納紙幣量が減少し、補充指令が出されたときの補充動作について説明する。
【００４６】
補充箱３８が枠体３６に装着されている状態がスイッチＳＷ1-1 により検知され、枠体３６が機体１に装着されている状態がスイッチＳＷ2-1 により検知され、さらに枠体３６が補充すべき収納部１３1 または１３2 に正対するよう機体１の幅方向に右または左へ移動させる。万円紙幣の補充時には図２において右側に移動位置しており、スイッチＳＷ3-1 がオンとなってその位置に位置づけられたことを検知する。また千円紙幣の補充時は図２において枠体３６の左側移動をスイッチＳＷ3-2 が検知する。
【００４７】
前記スイッチＳＷ1-1 の検知により補充箱３８のロック機構のソレノイドが作動され、ソレノイドにより移動されるロック爪が固定側の係止部に係合して引出し不能にロックされる。なおこのロックの解除は、ボタンスイッチ形態の補充箱ロック解除スイッチＳＷ1-2 を押すことにより補充箱３８のロックが解かれ、補充箱３８を引出すとスイッチＳＷ1-1 がオフとなり、補充箱ロック機構も不作動な状態におかれる。
【００４８】
枠体３６の装着がスイッチＳＷ2-1 により検知されると、枠体ロック機構のソレノイドが作動してロック爪と係止部とが係合し、ロック状態となる。このロックの解除は、枠体ロック解除スイッチＳＷ2-2 を押すことによりロックが解かれ、枠体３６を引出すとスイッチＳＷ2-1 が検知しなくなり、枠体ロック機構は不作動の状態におかれる。なおこの枠体３６の引出しは保守時になされ、通常は補充箱３８のみを引出して紙幣の補充装填を行うものである。
【００４９】
また枠体３６の引出し状態下における補充箱３８の引出し（図４示）についても、装着状態にある枠体３６からの補充箱３８の引出し動作と全く同じである。上記において、枠体３６の左右への移動位置でのロック機構の駆動は、補充紙幣の繰出し中および繰出し準備中以外は不作動である。しかし上記ロック機構は左右に移動して各収納部１３1 ，１３2 のいずれかに正対しておかれたときメカ的にロックされ、その解除は前述のレバー４３を手動で操作することにより解除され、枠体３６を右または左に移動させることができる。もし右または左に位置していること、すなわちスイッチＳＷ3-1 またはＳＷ3-2 が検知していることを条件として装着状態の枠体３６から補充箱３８が引出されて紙幣が詰められ、再び装着してスイッチＳＷ1-1 がオンされると枠体左右ロック機構の駆動部（ソレノイド）が作動してロック状態となり、レバー４３による解除はできない。
【００５０】
この場合は、補充紙幣の繰出しが済んだ時点でレバー４３により左右ロック機構を解除し、反対側の定位置へ移動させることができる。また枠体３６が左右定位置の中間におかれていてそのままであるときは、スイッチＳＷ3-1 ，ＳＷ3-2 のいずれもオフ状態でランプＬ1 が点灯し、左右いずれかの定位置へ手動で移動させるべきことが報知される。
【００５１】
次に紙幣の補充動作について説明する。
【００５２】
図３のように補充箱３８を引出してその内部に補充紙幣を集積状態に手詰めして機体１に装着状態の枠体３６内に押入すると、スイッチＳＷ1-1 がオンとなり、補充箱ロック機構がロックされる。
【００５３】
補充指令に基づいて図１示の補充箱３８の支持板３９がモータＭ1 の駆動により上昇し、最上位の紙幣が感知レバー１８を押し上げてセンサＰ0-2 を作動させる。この検知信号によりベルト４４のモータＭ2 が正転（図１において反時計方向回転）し、繰出ローラ４５，４５とゲートローラ４４ａの無端ベルト４４に接する部位により最上位の紙幣を摩擦により１枚ずつ送り出し、この送り出しはセンサＳ1 が検知し、さらに無端ベルト４４の上面側においてセンサＳ2 により金種、斜行、２枚重ね等が検知され、正常と判断された紙幣はそのまま直進し、補充紙幣一時保留部１５の支持板１６上に送り込まれて集積される。センサＳ3 は紙幣が支持板５１上へ送り込まれたことを検知する。
【００５４】
繰出された紙幣が異金種紙幣と判断されると、その信号により補充紙幣搬送手段４０の無端ベルト４４が一旦停止し、支持板３９のモータＭ1 が所定パルス分回転して支持板３９を所定量下降させ、次いで無端ベルト４４を逆転させてその異金種紙幣と次位の出かかった紙幣を補充箱３８内へ戻したあと枠体３６を左右に移動して他の金種用の収納部に位置させ、その後支持板３９を上昇させて紙幣を再び繰出してその収納部の一時保留部１５へ送り込む。
【００５５】
またセンサＳ2 が斜行紙幣、２枚重ね紙幣等の識別不能紙幣と判断したときは、前記と同様に無端ベルト４４の正転が停止し、支持板３９が所定パルス数分下降し、次いで無端ベルト４４が逆転して出かかった紙幣と前記検知がなされた紙幣とが共に補充箱３８内に戻される。その後支持板４９が上昇するとともに無端ベルト４４が正転駆動して再度繰出しし、センサＳ2 が正常と判断すれば一時保留部１５へ送り込む。上記作用を例えば３回繰返してもなお斜行や２枚重なりが解消されないときは機械をダウンさせ、それらの異常紙幣を補充箱３８内から取除いて動作を再開する。
【００５６】
補充紙幣一時保留部１５においては、この保留部内へ前記のようにして送入される紙幣の先端が羽根車４８によって送り込まれ、その紙幣の送入方向（長手方向）の両側縁が腰付けガイド１７，１７により次第に上方へ湾曲させられ、長手方向に腰が付けられて直進性が与えられた状態となって送り込まれ、良好に集積される。送入されたのちの先端は押えレバー１８により押えられる。
【００５７】
前記補充紙幣ユニット部１４の補充箱３８内の補充用の紙幣がなくなると、支持板３９が上昇しても感知レバー１８によりセンサＲ0-2 は作動せず、所定時間経過すると繰出し終了とみて無端ベルト４４のモータＭ2 が停止するとともに支持板３９のモータＭ1 が逆転し、支持板３９が下降して定位置へ停止したのちモータＭ1 が停止する。
【００５８】
次に回収一時保留部８と回収紙幣収納部１１との制御（図９）について簡単に説明を加えると、例えば千円紙幣の回収指令が図示しない制御器から入力され出金一時保留部７に千円紙幣１００枚が収納されると機体１内で一括搬送経路逆転指令が出され、上記紙幣は一括して回収一時保留部８へ送り込まれる。
【００５９】
回収一時保留部８の受入センサＳ4 が紙幣の送り込みを検知すると、ソレノイドＳＤの駆動によりシャッタ９が下方へ開き、その上にあった紙幣は下部の回収紙幣収納部１１内に収納される。その後ソレノイドＳＤが消磁してシャッタ９が閉じ、一時保留態勢に戻る。
【００６０】
次回の千円紙幣が千円用の出金用紙幣収納部１３1 から１枚ずつ繰出されて出金一時保留部７に集積され、それが１００枚に達すると前記と同様にして回収一時保留部８へ送り込まれ、シャッタ９が開いて回収紙幣収納部１１内に収納される。
【００６１】
このようにして回収紙幣収納部１１内に５００枚の紙幣が収納されると機体１の背面１ｂの回収口３からまとめて取出す。この取出しには、図４のように回収紙幣収納部１１を機体１の後方に引出して取出してもよい。
【００６２】
なお最後に一時保留された紙幣の枚数が１００枚に至らず、例えば３５枚であった場合には、出金識別部２７において３５枚をカウントして以後所定時間経過しても後続紙幣を検知しないときは１００枚の紙幣の場合と同様に回収一時保留部８へ送り込まれる。但しこの場合にはシャッタ９は閉じたままにおかれる。
【００６３】
上記の場合、回収一時保留部８から３５枚の紙幣を取出して回収してもよく、またシャッタ手動開放スイッチＳＷ4 （端数枚のときのみ作動可）を押してシャッタ９を開け、回収紙幣収納部１１内の紙幣に合体させて回収するようにしてもよい。
【００６４】
万円紙幣の回収も千円紙幣と同様にして回収することができる。
【００６５】
制御部７０は図８にその制御内容を詳細に示しているが、図７に示すようにこのほか前記出金用紙幣収納部１３1 ，１３2 に収納される枚数または金額に基づく収納量を記憶する紙幣収納量記憶部７１，７１′と、前記補充紙幣一時保留部１５に一時保留される枚数または金額に基づく補充紙幣一時保留量を記憶する補充紙幣一時保留枚数記憶部７２，７２′と、前記補充紙幣一時保留部の一時保留紙幣の収納動作に関連する収納指令１または２により前記補充紙幣一時保留枚数記憶部７２，７２′の記憶量を前記紙幣収納量記憶部７１，７１′の記憶量に加算して記憶させるようになされている。
【００６６】
識別部は前述のようにセンサＳ1 〜Ｓ3 により構成され、紙幣量を千円紙幣または万円紙幣の一時保留枚数記憶部７２，７２′へ加算するものである。また千円紙幣または万円紙幣の繰出し信号は、千円紙幣または万円紙幣の収納量記憶部から量減算する信号である。
【００６７】
また前記収納指令１または２は、シャッタ板１６，１６の収納のための下降指令、下降した開放位置への到達指令、シャッタ板１６，１６の開放検知等のいずれの信号を用いてもよい。さらにシャッタ板１６，１６の開放位置は、図１、図２において１点鎖線図示の一定位置であるが、収納量によってはこれより若干上方の別位置も定位置として開放位置を２箇所に設定してもよい。
【００６８】
図１０、図１１は本発明の別形態を示すもので、図１〜図９に示した実施形態と対応する部分には符号にダッシュを付して説明する。
【００６９】
出金用紙幣収納部１３′1 ，１３′2 は、前傾姿勢の載置板６０上に紙幣Ｐが前傾した立位姿勢で整列集積される形態のもので、その前端には保持板５９とこの保持板５９にそって紙幣Ｐを下方に繰出す繰出し手段２５′が設けられ、後方には紙幣Ｐを繰出し手段２５′へ付勢する押圧板６１があってモータＭにより紙幣の繰出しに追従して移動するようになっており、この押圧板６１は載置板６０より下方に退去自在とされかつ載置板６０の後端（図１０において右端）まで移動したのち上昇可能とされている。
【００７０】
上記出金用紙幣収納部１３′1 ，１３′2 は上下の位置関係として配設され、これら収納部１３′1 ，１３′2 の背後には補充紙幣一時保留部１５′が上下の収納部の前記載置板６０，６０の延長線上に位置し得るよう枠体３６′に設けられ、この枠体３６′が上記２位置をとるようモータにより昇降されるようになっている。
【００７１】
上記補充紙幣一時保留部１５′は、載置板６３の前端に突出する高さの低い突部６４を有し、この突部６４の上方には押え片６５が、また後部上方には挟持片６６が設けられ、これらは前後動および必要時に上方へ退去自在とされている。
【００７２】
前記枠体３６′の下部には補充箱３８′が設けられ、この補充箱３８′は機体１′から後方へ２点鎖線で示すように引出せるようになっており、この補充箱３８′の下部から紙幣Ｐを１枚ずつ繰出して前記補充紙幣一時保留部１５′の押え片６５の背部へ紙幣Ｐを搬送する補充紙幣搬送手段４０′が配設され、その途中には金種を識別するセンサＳ′2 が設けられている。
他の構成について図１と共通する部分にはダッシュ付きの符号のみを付す。
【００７３】
次に図１１を参照して動作を説明する。
【００７４】
紙幣補充時には、補充紙幣収納部１４′の補充箱３８′から紙幣Ｐが繰出され、補充紙幣一時保留部１５′へその押え片６５と挟持片６６との間に送り込まれて一時保留される。このとき紙幣Ｐは押え片６５と挟持片６６との間にゆるみをもって挟持され、紙幣Ｐが送入されるごとに挟持片６６がパルスモータにより必要量後退動して常に一定の挟持状態を保つ。そのときの収納紙幣の状態を図１１（Ａ）に示す。
【００７５】
この一時保留紙幣を出金用紙幣収納部１３′2 へ収納する場合は、枠体３６′を移動させて載置板６０と載置板６３とを面一としたのち挟持片６６がモータの駆動により前進し、押え片６５と挟持片６６とで紙幣Ｐを強く保持し、その後挟持片６６の移動により紙幣Ｐを押え片６５と共に前方へ移動し、押え片６５が出金用紙幣収納部１３′2 の押圧板６１の上部に至ると挟持片６６の移動用モータが停止する。これにより一時保留紙幣の前端は上記押え片６５と押圧板６１とに当り、後端は挟持片６６で押えられている（図１１（Ｂ））。
【００７６】
次いで押圧板６１を下方へ退去させるとともに後方へ移動させておく。これにより収納部１３′1 内の紙幣Ｐは保持板５９と押え片６５とで挟持され、一時保留紙幣は押え片６５と挟持片６６とで挟持される（図１１（Ｃ））。
【００７７】
次いで押え片６５が上方へ退去し、これにより一時保留紙幣は収納紙幣と合体され、これらの紙幣は保持板５９と挟持片６６とで挟持される（図１１（Ｄ））。続いて押圧板６１が上昇して前方へ移動することにより収納紙幣の背後を押圧し、図１１（Ａ）の状態になる。
【００７８】
最後に挟持片６６は後退移動し、押え片６５も上昇位置で後退移動したのち下方へ移動し、挟持片６６に押え片６５が当ったところで定位置へ戻る。このとき押え片６５は載置板６０と載置板６３とが面一の状態（枠体３６′が上昇した状態）での図１１（Ａ）位置に、挟持片６６は押え片６５に当接した位置となる。
これにより補充紙幣収納部１３′2 への紙幣の補充動作が完了する。また上部位置の補充紙幣収納部１３′1 への補充時には枠体３６′が上昇移動し、前記と同様な作用によって補充が行われる。
【００７９】
出金については出金すべき出金用紙幣収納部１３′1 または１３′2 からその繰出し手段２５′により１枚ずつ繰出して出金識別部２７′を通り、出金一時保留部７′へ送り込んで一時保留し、出金時には一括搬送経路５′の無端ベルト６′の正転駆動により一括して出金口２′へ送り出す。
【００８０】
取忘れ紙幣の回収、回収紙幣の回収は一括搬送経路５′の背部末端の回収口から行う。
【００８１】
なお出金用紙幣収納部、その上に補充紙幣一時保留部を設け、それを機体幅方向に複数個設けているが、機体の前後方向が紙幣の長手方向となるように収納しているので機体の幅が小さくできて好適である。
【００８２】
また補充紙幣搬送手段は、機体の背部方向へ繰出したのち機体前方へ搬送してその間に識別し、機体前方の補充紙幣一時保留部へ送るので補充紙幣搬送手段の搬送長さが直線的な搬送経路とするのに比べて短くてすみ、スペースの削減のうえで効果がある。
【００８３】
また背面操作部は、補充紙幣ユニット部１４の部分については幅方向移動域全体が開放状態、扉４部分についてもそれ以外の域は背面開放となっているが、これに限らず必要部分に背面カバーを設けたり、扉を設けるようにしてもよいことは勿論である。
【００８４】
【発明の効果】
以上説明したように本発明によれば、出金用紙幣収納部に出金用紙幣を補充する際に補充紙幣収納部から１枚ずつ繰出してカウントしたのち出金用紙幣収納部の一時保留部へ送入するようにしたので、補充時に補充量（金額または枚数）を正確に把握することができ、従来のように入力ミスによる機械内の在高の不確実さを解消することができる。
【００８５】
また請求項２によれば、上記補充のための一時動作は出金のための動作とは無関係に行え、また一時保留紙幣の収納動作も迅速にできるので、機械を無休止で稼動させることができやすく、利用者に不便を与えることを少なくすることができる。
【図面の簡単な説明】
【図１】本発明による紙幣出金機の一実施形態を示す略示縦断側面図。
【図２】図１のＡ−Ａ断面図。
【図３】図１の補充紙幣収納部の補充箱を引出した状態を示す側面図。
【図４】同、枠体と補充箱とを引出した状態を示す側面図。
【図５】補充箱の平面図。
【図６】背面操作部の一部を示す背面から見た正面図。
【図７】制御ブロック図。
【図８】制御ブロック図。
【図９】制御ブロック図。
【図１０】本発明による紙幣出金機の他の実施形態を示す略示縦断側面図。
【図１１】（Ａ）〜（Ｄ）は図１０の作用説明図。
【符号の説明】
１，１′  機体
２  出金口
３  回収口
５  一括搬送経路
７  出金紙幣一時保留部
８  回収一時保留部
９  シャッタ
１０  出金リジェクト紙幣回収部
１１  回収紙幣収納部
１３1 ，１３2 ，１３′1 ，１３′2   出金用紙幣収納部
１４，１４′  補充紙幣ユニット
１５，１５′  補充紙幣一時保留部
２５，２５′  出金用紙幣繰出し手段
２７，２７′  出金識別部
３６，３６′  枠体
３８，３８′  補充箱
４０，４０′  補充紙幣搬送手段
【図１】
0004212686.tif 000002
【図２】
0004212686.tif 000003
【図３】
0004212686.tif 000004
【図４】
0004212686.tif 000005
【図５】
0004212686.tif 000006
【図６】
0004212686.tif 000007
【図７】
0004212686.tif 000008
【図８】
0004212686.tif 000009
【図９】
0004212686.tif 000010
【図１０】
0004212686.tif 000011
【図１１】
0004212686.tif 000012